【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、複数のレンズ群を含み全体として正の屈折力の後群を有し、ズーミングに際して隣り合うレンズ群の間隔が変化するズームレンズであって、
前記後群はフォーカシングに際して移動する正の屈折力のフォーカス群を有し、前記フォーカス群の像側に配置された光学系の望遠端における屈折力は負であり、
望遠端における全系の焦点距離をｆｔ、前記フォーカス群よりも物体側に配置された光学系の合成焦点距離をｆｐｔとするとき、
２．０＜｜ｆｐｔ／ｆｔ｜
なる条件式を満足することを特徴とするズームレンズ。
【請求項２】
前記フォーカス群の焦点距離をｆｆとするとき、
０．４＜ｆｆ／ｆｔ＜１．０
なる条件式を満足することを特徴とする請求項１に記載のズームレンズ。
【請求項３】
前記フォーカス群よりも像側に配置された光学系の望遠端における合成焦点距離をｆｒｔとするとき、
０．５＜｜ｆｒｔ／ｆｔ｜＜１０．０
なる条件式を満足することを特徴とする請求項１又は２に記載のズームレンズ。
【請求項４】
望遠端における前記フォーカス群の横倍率をβｆｔとするとき、
−０．２＜βｆｔ＜０．２
なる条件式を満足することを特徴とする請求項１乃至３のいずれか１項に記載のズームレンズ。
【請求項５】
前記フォーカス群よりも像側に配置された光学系の望遠端における合成横倍率をβｒｔとするとき、
１．０＜βｒｔ＜１．３
なる条件式を満足することを特徴とする請求項１乃至４のいずれか１項に記載のズームレンズ。 
【請求項６】
前記フォーカス群と前記フォーカス群の物体側に隣接して配置されたレンズとの望遠端における間隔をｄｆｔ，望遠端におけるレンズ全長をｄｔとするとき、
０．０５＜ｄｆｔ／ｄｔ＜０．２０
なる条件式を満足することを特徴とする請求項１乃至５のいずれか１項に記載のズームレンズ。
【請求項７】
前記フォーカス群は単一のレンズユニットより構成されることを特徴とする請求項１乃至６のいずれか１項に記載のズームレンズ。
【請求項８】
前記フォーカス群の最も物体側のレンズ面の曲率半径をｒ１、最も像側のレンズ面の曲率半径をｒ２とするとき、
０．０＜（ｒ１＋ｒ２）／（ｒ１−ｒ２）＜０．５
なる条件式を満足することを特徴とする請求項１乃至７のいずれか１項に記載のズームレンズ。
【請求項９】
望遠端における全系のＦナンバーをＦｎｏｔ、広角端における全系の焦点距離をｆｗとするとき、
０．１＜Ｆｎｏｔ／（ｆｔ／ｆｗ）＜１．０
なる条件式を満足することを特徴とする請求項１乃至８のいずれか１項に記載のズームレンズ。 
【請求項１０】
前記第１レンズ群の焦点距離をｆ１とするとき、
１．０＜ｆ１／ｆｔ＜２．０
なる条件式を満足することを特徴とする請求項１乃至９のいずれか１項に記載のズームレンズ。
【請求項１１】
前記第２レンズ群の焦点距離をｆ２、広角端における全系の焦点距離をｆｗとするとき、
０．８＜｜ｆ２／ｆｗ｜＜１．５
なる条件式を満足することを特徴とする請求項１乃至１０のいずれか１項に記載のズームレンズ。
【請求項１２】
前記フォーカス群又は前記フォーカス群を含むレンズ群は、ズーミングに際して他のレンズ群と異なる軌跡で移動することを特徴とする請求項１乃至１１のいずれか１項に記載のズームレンズ。
【請求項１３】
前記後群は、物体側から像側へ順に、正の屈折力の第３レンズ群、正の屈折力の第４レンズ群、負の屈折力の第５レンズ群より構成されることを特徴とする請求項１乃至１２のいずれか１項に記載のズームレンズ。
【請求項１４】
前記後群は、物体側から像側へ順に、正の屈折力の第３レンズ群、正の屈折力の第４レンズ群、正の屈折力の第５レンズ群、負の屈折力の第６レンズ群より構成されることを特徴とする請求項１乃至１２のいずれか１項に記載のズームレンズ。
【請求項１５】
前記後群は、物体側から像側へ順に、正の屈折力の第３レンズ群、負の屈折力の第４レンズ群、正の屈折力の第５レンズ群より構成されることを特徴とする請求項１乃至１２のいずれか１項に記載のズームレンズ。
【請求項１６】
固体撮像素子に像を形成することを特徴とする請求項１乃至１５のいずれか１項に記載のズームレンズ。
【請求項１７】
請求項１乃至１６のいずれか１項に記載のズームレンズと、該ズームレンズによって形成された像を受光する撮像素子とを有することを特徴とする撮像装置。
【請求項１８】
望遠端における全系のＦナンバーをＦｎｏｔ、前記後群の最も物体側のレンズ面に入射する軸上光線及び軸外光線の中で入射高が最も高い光線の入射高をｈｇｔ、前記撮像素子の有効範囲の対角線長の半分をＹｍａｘとするとき、
０．３＜ｈｇｔ／（Ｙｍａｘ×Ｆｎｏｔ）＜１．０
なる条件式を満足することを特徴とする請求項１７に記載の撮像装置。
【手続補正２】
【補正対象書類名】明細書
【補正対象項目名】０００９
【補正方法】変更
【補正の内容】
【０００９】
本発明のズームレンズは、物体側から像側へ順に、正の屈折力の第１レンズ群、負の屈折力の第２レンズ群、複数のレンズ群を含み全体として正の屈折力の後群を有し、ズーミングに際して隣り合うレンズ群の間隔が変化するズームレンズであって、
前記後群はフォーカシングに際して移動する正の屈折力のフォーカス群を有し、前記フォーカス群の像側に配置された光学系の望遠端における屈折力は負であり、
望遠端における全系の焦点距離をｆｔ、前記フォーカス群よりも物体側に配置された光学系の合成焦点距離をｆｐｔとするとき、
２．０＜｜ｆｐｔ／ｆｔ｜
なる条件式を満足することを特徴としている。
【手続補正３】
【補正対象書類名】明細書
【補正対象項目名】００１２
【補正方法】変更
【補正の内容】
【００１２】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、複数のレンズ群を含み、全体として正の屈折力の後群を有している。ズーミングに際して、隣り合うレンズ群の間隔が変化する。後群はフォーカシングに際して移動するフォーカス群と、フォーカス群の像側に１つ以上のレンズ群を含む光学系を有する。光学系は望遠端において負の屈折力を有する。
【手続補正４】
【補正対象書類名】明細書
【補正対象項目名】００１７
【補正方法】変更
【補正の内容】
【００１７】
後群ＬＢはフォーカス群ＬＦの像側に１つ以上のレンズ群よりなる光学系ＬＢＢを有する。光学系ＬＢＢは望遠端において負の屈折力を有する。ＳＰは開口絞りであり、第３レンズ群Ｌ３の物体側に配置している。
【手続補正５】
【補正対象書類名】明細書
【補正対象項目名】００１９
【補正方法】変更
【補正の内容】
【００１９】
図１のレンズ断面図において、Ｌ１は正の屈折力の第１レンズ群、Ｌ２は負の屈折力の第２レンズ群である。後群ＬＢは正の屈折力の第３レンズ群Ｌ３、正の屈折力の第４レンズ群Ｌ４、負の屈折力の第５レンズ群Ｌ５よりなっている。第４レンズ群Ｌ４はフォーカス群ＬＦである。光学系ＬＢＢは第５レンズ群Ｌ５よりなっている。
【手続補正６】
【補正対象書類名】明細書
【補正対象項目名】００２１
【補正方法】変更
【補正の内容】
【００２１】
図４のレンズ断面図においてＬ１は正の屈折力の第１レンズ群、Ｌ２は負の屈折力の第２レンズ群である。後群ＬＢは正の屈折力の第３レンズ群Ｌ３、正の屈折力の第４レンズ群Ｌ４、正の屈折力の第５レンズ群Ｌ５、負の屈折力の第６レンズ群Ｌ６よりなっている。第４レンズ群Ｌ４はフォーカス群ＬＦである。光学系ＬＢＢは第５レンズ群Ｌ５と第６レンズ群Ｌ６よりなっている。
【手続補正７】
【補正対象書類名】明細書
【補正対象項目名】００２３
【補正方法】変更
【補正の内容】
【００２３】
図７のレンズ断面図においてＬ１は正の屈折力の第１レンズ群、Ｌ２は負の屈折力の第２レンズ群である。後群ＬＢは正の屈折力の第３レンズ群Ｌ３、負の屈折力の第４レンズ群Ｌ４、正の屈折力の第５レンズ群Ｌ５よりなっている。フォーカス群ＬＦは第３レンズ群Ｌ３の一部のレンズ系よりなっている。光学系ＬＢＢは第４レンズ群Ｌ４と第５レンズ群Ｌ５よりなっている。
【手続補正８】
【補正対象書類名】明細書
【補正対象項目名】００２６
【補正方法】変更
【補正の内容】
【００２６】
次に、各実施例の特徴について説明する。本発明のズームレンズは、物体側から像側へ順に、正の屈折力の第１レンズ群Ｌ１、負の屈折力の第２レンズ群Ｌ２、１つ以上のレンズ群を含み全体として正の屈折力の後群ＬＢを有する。各実施例のズームレンズにおいて、後群ＬＢは正の屈折力のフォーカス群ＬＦを有する。そしてフォーカス群ＬＦの像側に、１つ以上のレンズ群よりなる光学系ＬＢＢを有する。光学系ＬＢＢは、望遠端において全体として負の屈折力を有する。
【手続補正９】
【補正対象書類名】明細書
【補正対象項目名】００３０
【補正方法】変更
【補正の内容】
【００３０】
本発明のズームレンズでは、望遠端における全系の焦点距離をｆｔ、望遠端においてフォーカス群ＬＦの物体側に配置された光学系の合成焦点距離をｆｐｔとする。このとき、
２．０＜｜ｆｐｔ／ｆｔ｜・・・（１）
なる条件式を満足する。
【手続補正１０】
【補正対象書類名】明細書
【補正対象項目名】００３３
【補正方法】変更
【補正の内容】
【００３３】
各実施例のズームレンズにおいて、更に好ましくは次の条件式のうち１つ以上を満足するのが良い。それによれば各条件式に対応した効果が得られる。フォーカス群ＬＦの焦点距離をｆｆとする。望遠端における光学系ＬＢＢの合成焦点距離をｆｒｔとする。望遠端におけるフォーカス群ＬＦの横倍率をβｆｔとする。望遠端における光学系ＬＢＢの合成横倍率をβｒｔとする。フォーカス群ＬＦとフォーカス群ＬＦの物体側に隣接して配置されたレンズ群との望遠端における間隔をｄｆｔ，望遠端におけるレンズ全長（第１レンズ面から像面までの距離）をｄｔとする。
【手続補正１１】
【補正対象書類名】明細書
【補正対象項目名】００３４
【補正方法】変更
【補正の内容】
【００３４】
フォーカス群ＬＦの最も物体側のレンズ面の曲率半径をｒ１、最も像側のレンズ面の曲率半径をｒ２とする。望遠端における全系のＦナンバーをＦｎｏｔ、広角端における全系の焦点距離をｆｗとする。第１レンズ群Ｌ１の焦点距離をｆ１とする。第２レンズ群Ｌ２の焦点距離をｆ２とする。
【手続補正１２】
【補正対象書類名】明細書
【補正対象項目名】００３５
【補正方法】変更
【補正の内容】
【００３５】
また本発明のズームレンズを撮像素子を有する撮像装置に用いたとき、広角端から望遠端のズーミングに際して、後群ＬＢの最も物体側のレンズ面に入射する軸上光線及び軸外光線の中で入射高が最も高い光線の入射高をｈｇｔとする。撮像素子の有効範囲の対角線長の半分をＹｍａｘとする。このとき次の条件式のうち１以上を満足するのが良い。
【手続補正１３】
【補正対象書類名】明細書
【補正対象項目名】００３６
【補正方法】変更
【補正の内容】
【００３６】
０．４＜ｆｆ／ｆｔ＜１．０                      ・・・（２）
０．５＜｜ｆｒｔ／ｆｔ｜＜１０．０              ・・・（３）
−０．２＜βｆｔ＜０．２                        ・・・（４）
１．０＜βｒｔ＜１．３                          ・・・（５）
０．０５＜ｄｆｔ／ｄｔ＜０．２０                ・・・（６）
０．０＜（ｒ１＋ｒ２）／（ｒ１−ｒ２）＜０．５  ・・・（７）
０．１＜Ｆｎｏｔ／（ｆｔ／ｆｗ）＜１．０        ・・・（８）
１．０＜ｆ１／ｆｔ＜２．０                      ・・・（９）
０．８＜｜ｆ２／ｆｗ｜＜１．５                  ・・・（１０）
０．３＜ｈｇｔ／（Ｙｍａｘ×Ｆｎｏｔ）＜１．０  ・・・（１１）
【手続補正１４】
【補正対象書類名】明細書
【補正対象項目名】００３８
【補正方法】変更
【補正の内容】
【００３８】
条件式（３）は望遠端におけるフォーカス群ＬＦの像側に配置される光学系ＬＢＢの合成焦点距離ｆｒｔを適切に設定するものである。条件式（３）を満足することで、望遠端におけるレンズ全長を短くしつつ、良好な光学性能を得ている。条件式（３）の上限を越えて、光学系ＬＢＢの負の屈折力が小さくなり過ぎると（負の屈折力の絶対値が小さくなりすぎると）、望遠端におけるレンズ全長の短縮が困難となる。また、望遠端において光学系ＬＢＢの横倍率が小さくなるため、フォーカシングに際してフォーカス群ＬＦの移動量が多くなり、近距離へフォーカシングに際して収差変動が大きくなってくる。
【手続補正１５】
【補正対象書類名】明細書
【補正対象項目名】００３９
【補正方法】変更
【補正の内容】
【００３９】
下限を越えて、光学系ＬＢＢの負の屈折力が大きくなりすぎると（負の屈折力の絶対値が大きくなりすぎると）、歪曲収差、像面湾曲が増大し、これらの諸収差の補正が困難となる。
【手続補正１６】
【補正対象書類名】明細書
【補正対象項目名】００４２
【補正方法】変更
【補正の内容】
【００４２】
条件式（４）を満足することで、望遠端においてフォーカシングの際の移動量が少なくなり、望遠端においてレンズ全長の短縮が容易となる。また、近距離へのフォーカシングに際しての収差変動を小さくすることが出来る。前記フォーカス敏感度の式より、望遠端においてフォーカス群の像側に配置されたレンズ群（光学系）ＬＢＢの合成横倍率は大きい方か、フォーカス敏感度が大きくなることが分かる。
【手続補正１７】
【補正対象書類名】明細書
【補正対象項目名】００５２
【補正方法】変更
【補正の内容】
【００５２】
条件式（１１）は、本発明のズームレンズを撮像装置に用いたときの撮像素子の大きさと、望遠端におけるＦナンバーに対する後群ＬＢの最も物体側のレンズの有効径との関係を規定する。
【手続補正１８】
【補正対象書類名】明細書
【補正対象項目名】００５５
【補正方法】変更
【補正の内容】
【００５５】
７．０＜｜ｆｐｔ／ｆｔ｜                        ・・・（１ａ）
０．５＜ｆｆ／ｆｔ＜０．８                      ・・・（２ａ）
１．０＜｜ｆｒｔ／ｆｔ｜＜８．０                ・・・（３ａ）
−０．１５＜βｆｔ＜０．１０                    ・・・（４ａ）
１．１０＜βｒｔ＜１．２５                      ・・・（５ａ）
０．０７＜ｄｆｔ／ｄｔ＜０．１５                ・・・（６ａ）
０．１＜（ｒ１＋ｒ２）／  （ｒ１−ｒ２）＜０．４・・・（７ａ）
０．４＜Ｆｎｏｔ／（ｆｔ／ｆｗ）＜０．８        ・・・（８ａ）
１．２＜ｆ１／ｆｔ＜１．６                      ・・・（９ａ）
１．０＜｜ｆ２／ｆｗ｜＜１．３                  ・・・（１０ａ）
０．４＜ｈｇｔ／（Ｙｍａｘ×Ｆｎｏｔ）＜０．８  ・・・（１１ａ）
【手続補正１９】
【補正対象書類名】明細書
【補正対象項目名】００６９
【補正方法】変更
【補正の内容】
【００６９】
【表１】
2016048355.tif 000001
【手続補正２０】
【補正対象書類名】明細書
【補正対象項目名】００７３
【補正方法】変更
【補正の内容】
【００７３】
Ｌ１：第１レンズ群    Ｌ２：第２レンズ群    Ｌ３：第３レンズ群
Ｌ４：第４レンズ群    Ｌ５：第５レンズ群    Ｌ６：第６レンズ群
ＬＢ：後群    ＬＦ：フォーカス群    ＬＢＢ：光学系